(57)【要約】【課題】  診察や検査中に、担当医師以外の者にその様子が見られないようにして、被検者のプライバシーの保護を図る。【解決手段】  被検者の医用画像を取得するための画像診断装置１４には、当該被検者の情報を設定したり設定を解除したりする被検者情報設定機能を有している。そこでこの被検者情報設定手段によって被検者情報を設定したり解除したりする操作に連動して、画像診断装置外へ制御信号を送出するようにし、この制御信号によって、自動的に診察室や検査室のドアー４を施錠したり、表示器５に「診察中」などの表示をしたりするようにした。  これによって、部外者が不用意に診察室などに入ることを阻止し、診断中の被検者のプライバシーを保護するとともに、スタッフの手間も省くことができる。【選択図】      図２
2009254397.tif 000002
【特許請求の範囲】
【請求項１】
被検者の医用画像を取得するための画像診断装置に備えられており、医用画像を取得する
被検者の情報を設定するとともに、その設定を解除する被検者情報設定手段と、
この被検者情報設定手段による被検者情報の設定／解除操作に連動して、前記画像診断装
置外へ制御信号を送出する信号送出手段と、
この信号送出手段から送出された制御信号を受けて動作する従動装置と
を具備することを特徴とする医療用支援装置。
【請求項２】
前記従動装置は、前記被検者の医用画像を取得する検査室の入口付近に設けた表示器であ
って、
この表示器は、前記信号送出手段から送出される制御信号を受けて、表示をオン／オフす
るように動作することを特徴とする請求項１に記載の医療用支援装置。
【請求項３】
前記従動装置は、前記被検者の医用画像を取得する検査室のドアーの施錠装置であって、
この施錠装置は、前記信号送出手段から送出される制御信号を受けて、前記検査室のドア
ーをロック／解除するように動作することを特徴とする請求項１に記載の医療用支援装置
。
【請求項４】
前記従動装置は、前記被検者の医用画像を取得する検査室の照明装置であって、
この照明装置は、前記信号送出手段から送出される制御信号を受けて、点灯／消灯し、ま
たは明るさを変化するように動作することを特徴とする請求項１に記載の医療用支援装置
。
【請求項５】
前記従動装置は、前記被検者を載置する寝台装置であって、
この寝台装置は、前記信号送出手段から送出される制御信号を受けて、当該寝台装置の背
もたれを起倒するように動作することを特徴とする請求項１に記載の医療用支援装置。
【請求項６】
前記被検者情報設定手段による設定操作に連動して前記画像診断装置外へ送出される制御
信号は、前記被検者情報の設定の確定操作を実施したときに第１の信号を送出し、設定の
解除操作を実施したときに第２の信号を送出するものであることを特徴とする請求項１な
いし請求項５のいずれか１項に記載の医療用支援装置。
【発明の詳細な説明】
【技術分野】
【０００１】
本発明は、被検者の医用画像を取得するための画像診断装置に係り、この画像診断装置
によって医用画像を取得する被検者の情報を設定したり、設定を解除したりする操作に連
動して、当該画像診断装置外へ制御信号を送出し、この制御信号を受けた外部の装置を適
宜動作させる医療用支援装置に関する。
【背景技術】
【０００２】
例えば超音波診断装置によって被検者の診断画像を取得する場合は、超音波診断用の検
査室に超音波診断装置と寝台が置かれ、寝台に被検者を寝かせた状態で、医師や技師が超
音波診断装置を操作しながら、モニタに表示される画像を観察して診断が行われる。この
とき、検査室の照明灯を消して、モニタに表示される画像をより鮮明に確認する状況が見
受けられる。
【０００３】
また、検査室は診察室や待合室などとは、カーテンやドアーなどで仕切られてはいるも
のの、医療スタッフが突然カーテンやドアーなどを開いて検査室に入ってくることがある
。しかし、被検者が例えば乳腺や泌尿器系の診断を受けている場合など、診断内容によっ
ては病院関係者であっても、診断を受けている様子を担当の医師以外に見られたくないと
考えることもあり、被検者のプライバシーを保護するためのより一層の配慮が望まれてい
る。
【０００４】
従来、Ｘ線診断装置やＸ線ＣＴ装置などの放射線を取り扱う検査室では、部外者が不用
意に検査室に入らないように、検査室のドアー付近に「Ｘ線発生中」のような表示が赤色
灯によって行われていた。この場合、Ｘ線は危険という意識が一般者には定着しているこ
ともあり、表示灯が点灯しているときに部外者が不用意に検査室に入ることは防止できて
いた。
【０００５】
しかし、超音波診断装置は一般に安全性が高いと認識されていることもあり、病院関係
者であれば検査中であっても必要があれば検査室に自由に出入りできるものであった。
【０００６】
また、被検者の取り違えを防止するために、検査室の入り口近傍に被検者名を表示する
ための表示器を設置し、Ｘ線診断装置やＸ線ＣＴ装置などの装置に設定する被検者情報に
応じて、この表示器に被検者名を表示し、被検者自身によりこの表示を確認して検査室に
入室して検査を受けることができるようにしたものが提案されていた（例えば、特許文献
１参照。）。
【特許文献１】特開２００３−５２６４１号公報
【発明の開示】
【発明が解決しようとする課題】
【０００７】
ところで、被検者のプライバシー保護の観点から、被検者の性別あるいは診断部位に応
じて、検査室への入出を制限しようとすれば、スタッフの手動作業によって、診察室のド
アーを施錠したり、入室禁止の札を掲げたりする必要があり、さらに検査終了時に開錠し
たり札を外したりするために、スタッフの負担が増加するという問題があった。
【０００８】
また、特に超音波診断装置による検査に当たっては、検査室の照明を検査の開始、終了
に応じて暗くしたり明るくしたりする操作をするのがわずらわしいという問題もあった。
【０００９】
本発明は、このような問題を解決するためになされたものである。
【課題を解決するための手段】
【００１０】
上述の課題を解決するため、請求項１に記載の発明は、被検者の医用画像を取得するた
めの画像診断装置に備えられており、医用画像を取得する被検者の情報を設定するととも
に、その設定を解除する被検者情報設定手段と、この被検者情報設定手段による被検者情
報の設定／解除操作に連動して、前記画像診断装置外へ制御信号を送出する信号送出手段
と、この信号送出手段から送出された制御信号を受けて動作する従動装置とを具備するこ
とを特徴とする医療用支援装置である。
【００１１】
また、請求項２に記載の発明は、請求項１に記載の医療用支援装置において、前記従動
装置は、前記被検者の医用画像を取得する検査室の入口付近に設けた表示器であって、こ
の表示器は、前記信号送出手段から送出される制御信号を受けて、表示をオン／オフする
ように動作することを特徴とする。
【００１２】
また、請求項３に記載の発明は、請求項１に記載の医療用支援装置において、前記従動
装置は、前記被検者の医用画像を取得する検査室のドアーの施錠装置であって、この施錠
装置は、前記信号送出手段から送出される制御信号を受けて、前記検査室のドアーをロッ
ク／解除するように動作することを特徴とする。
【００１３】
また、請求項４に記載の発明は、請求項１に記載の医療用支援装置において、前記従動
装置は、前記被検者の医用画像を取得する検査室の照明装置であって、この照明装置は、
前記信号送出手段から送出される制御信号を受けて、点灯／消灯し、または明るさを変化
するように動作することを特徴とする。
【００１４】
また、請求項５に記載の発明は、請求項１に記載の医療用支援装置において、前記従動
装置は、前記被検者を載置する寝台装置であって、この寝台装置は、前記信号送出手段か
ら送出される制御信号を受けて、当該寝台装置の背もたれを起倒するように動作すること
を特徴とする。
【００１５】
また、請求項６に記載の発明は、請求項１ないし請求項５のいずれか１項に記載の医療
用支援装置において、前記被検者情報設定手段による設定操作に連動して前記画像診断装
置外へ送出される制御信号は、前記被検者情報の設定の確定操作を実施したときに第１の
信号を送出し、設定の解除操作を実施したときに第２の信号を送出するものであることを
特徴とする。
【発明の効果】
【００１６】
上記課題を解決するための手段の項にも示したとおり、本発明の特許請求の範囲に記載
する各請求項の発明によれば、次のような効果を奏する。
【００１７】
請求項１に記載の発明によれば、医用画像を取得する被検者の情報を当該画像診断装置
に設定し、およびその設定を解除する操作に連動して、画像診断装置外の従動装置へ制御
信号を送出し、この制御信号に応じて従動装置を自動的に動作させることができる。よっ
て、画像診断装置外の従動装置を個別に操作する手間を省くことができ、多忙な医療スタ
ッフなどの負担を軽減することができる。
【００１８】
請求項２に記載の発明によれば、検査中はその旨を検査室の入口近くに設けた表示器に
自動的に表示し、検査の終了に合わせて表示が消えるようにしたので、スタッフが手動で
表示器を操作する手間が省ける。また、部外者などが検査室へ不用意に入室するのを防止
でき、被検者のプライバシーの保護に寄与することができる。
【００１９】
請求項３に記載の発明によれば、検査中は検査室の入口ドアーを自動的に施錠し、検査
の終了に合わせて開錠されるようにしたので、スタッフが手動でドアーに鍵を掛けたり外
したりする手間が省ける。また、検査中に部外者などが検査室へ不用意に入室するのを確
実に防止でき、被検者のプライバシーの保護も一段と強化することができる。
【００２０】
請求項４に記載の発明によれば、検査中は、検査室の照明装置を自動的に消したり暗く
なるように絞ったりするので、診断装置の画面が極めて見易くなり、小さな病変などの発
見も容易になる。そして、検査の終了に合わせて照明装置を点灯したり絞られていた明る
さを通常の明るさに自動的に復帰させるので、容易に被検者が服装を整えたり、医師がレ
ポートを作成したりすることができる。また、医師またはスタッフが照明装置を手動で操
作する必要がないので、負担が軽減し、検査の時間も短縮できる。
【００２１】
請求項５に記載の発明によれば、検査の開始に際して、被検者の乗った寝台の背もたれ
を水平になるように倒し、検査の終了により背もたれを起こす動作が自動的に行われるの
で、検査をスムースに行うことができ、スタッフの負担が軽減され、被検者の寝台への乗
り降りも容易となる。
【発明を実施するための最良の形態】
【００２２】
以下、本発明に係る医療用支援装置の実施例について、図１ないし図９を参照して詳細
に説明する。なお、これらの図において、同一部分には同一符号を付して示してある。
【００２３】
図１は、医療施設における診察室や待合室などの配置の一例を示したものである。図中
１は診察兼検査室、２は処置室、３は被検者が順番待ちをするための待合室である。診察
兼検査室１と待合室３とはドアー４で仕切られており、処置室２と待合室３はカーテンな
どで適宜仕切られるようになっている。そして、ドアー４付近には、診察兼検査室１にお
いて診察または検査が実施されていることを示す表示器５が設けられている。
【００２４】
診察兼検査室１には医師用の机１１、椅子１２、被検者用の椅子１３、検査装置として
の画像診断装置例えば超音波診断装置１４、被検者用の寝台１５などが配置されており、
ドアー４付近に設けられている表示器５は、超音波診断装置１４から送出される制御信号
によって、点灯／消灯が制御されるものである。また待合室３には順番待ちをする被検者
のための複数の椅子３１が配置されている。そして、看護師などの医療スタッフは、診察
兼検査室１、処置室２、待合室３の間を自由に行き来できるようになっている。
【００２５】
次に、上記の施設において被検者に対して、診察後に超音波診断装置１４による検査を
実施することになった場合の、医師や看護師などの医療スタッフによる超音波診断装置１
４の操作の流れと、その操作に伴う本発明の作用について説明する。
【実施例１】
【００２６】
図２は、本発明の実施例１を説明するために示したフローチャートである。
【００２７】
医師の診察により超音波診断装置１４による検査を受けることになった被検者は、看護
師の介助により診察兼検査室１に配置された寝台１５に横たわる。医師は、超音波診断装
置１４を操作して、先ず被検者情報入力画面を開く操作をする（ステップ１１）。続いて
、この画面に被検者の氏名、年齢、性別、診断部位などの被検者情報を入力する（ステッ
プ１２）。被検者情報の入力が済んだら、被検者情報入力画面を閉じて、被検者情報の設
定を確定させる（ステップ１３）。これによって検査が可能となる。ステップ１３による
被検者情報の確定操作により、超音波診断装置１４の制御部（図示せず）から、診察兼検
査室１と待合室３とを仕切っているドアー４付近に設けられている表示器５へ点灯信号が
送出され（ステップ１４）、この点灯信号を受けて表示器５は点灯する（ステップ１５）
。
【００２８】
その後医師は、超音波診断装置１４により被検者に対して所望の検査を実施する（ステ
ップ１６）。そして検査が終了したとき、医師は再度被検者情報入力画面を開く操作をす
る（ステップ１７）。この操作によって被検者情報の設定が解除される。なお、ステップ
１７による被検者情報の設定解除の操作により、超音波診断装置１４の図示しない制御部
から、表示器５へ消灯信号が送出され（ステップ１８）、この点灯信号を受けて表示器５
は消灯し（ステップ１９）、一連の動作を終了する。
【００２９】
図３は、このような表示器５の点灯と消灯による表示の様子を説明するために示したも
のであり、診察兼検査室１の超音波診断装置１４から表示器５へ点灯信号が送出された場
合に、表示器５が点灯して例えば「診察中」の文字が浮き出るように表示され、超音波診
断装置１４から表示器５へ消灯信号が送出された場合は、表示器５が消灯するため「診察
中」の文字は表示されないようになるものである。なお、表示器５に表示する文字は、予
め決めた「検査中」、「入室禁止」など適宜の文字であって良いことは言うまでもない。
【実施例２】
【００３０】
次に、本発明の実施例２について、図４および図５を参照して説明する。
【００３１】
この実施例は、表示器５への表示による注意喚起を、さらに実効あるものとするために
、検査中には診察兼検査室１のドアー４を施錠するようにしたものである。
【００３２】
図４は、この実施例２における作業の流れを示したフローチャートであり、図２に示し
た実施例１のフローチャートに対応している。すなわち、被検者は看護師の介助により診
察兼検査室１に配置された寝台１５に横たわっているものとする。そこで、医師が超音波
診断装置１４を操作して、被検者情報入力画面を開く操作（ステップ２１）から、被検者
情報入力画面に被検者情報を入力し（ステップ２２）、被検者情報の入力が済んだら、被
検者情報入力画面を閉じて、被検者情報の設定を確定させる（ステップ２３）ところまで
は、実施例１のステップ１１からステップ１３までと同様であり、ステップ２３によって
検査が可能となる。
【００３３】
そこで実施例２では、ステップ２３による被検者情報の確定操作により、超音波診断装
置１４の制御部（図示せず）から、診察兼検査室１と待合室３とを仕切っているドアー４
に設けられている施錠装置６（図５参照）へ施錠信号が送出され（ステップ２４）、この
施錠信号を受けて施錠装置６が動作して、ドアー４を開かないようにロックする（ステッ
プ２５）。
【００３４】
その後所望の検査を実施する（ステップ２６）。そして検査が終了したとき、医師は再
度被検者情報入力画面を開く操作をすることによって（ステップ２７）、被検者情報の設
定が解除され、この被検者情報の設定解除の操作により、超音波診断装置１４の図示しな
い制御部から、表示器５へ開錠信号が送出され（ステップ２８）、この開錠信号を受けて
施錠装置６はロックを解除し（ステップ２９）、ドアー４の開閉が自由になって一連の動
作を終了する。
【００３５】
図５は、このようなドアー４に設けられている施錠装置６のロックと解除の様子を説明
するために示したものである。診察兼検査室１の超音波診断装置１４からドアー４の施錠
装置６へ施錠信号が送出された場合に、この信号を受けて施錠装置６が動作してドアー４
を開かないようにロックする。一方、超音波診断装置１４から表示器５へ開錠信号が送出
された場合は、施錠装置６はロックを解除してドアー４の開閉を自由にするものである。
従って、実施例２によれば、検査中に診察兼検査室１への入室が確実に防止でき、被検者
のプライバシーを保護することができる。
【実施例３】
【００３６】
次に、本発明の実施例３について、図６および図７を参照して説明する。
【００３７】
この実施例３は、検査中は、超音波診断装置１４の画面が見易くなるように、検査室の
照明の明るさを調整するようにしたものである。
【００３８】
図６は、この実施例３における作業の流れを示したフローチャートであり、図２、図４
に示した実施例１および実施例２のフローチャートに対応している。すなわち、被検者は
看護師の介助により診察兼検査室１に配置された寝台１５に横たわっているものとする。
そこで医師が、超音波診断装置１４を操作して、被検者情報入力画面を開く操作（ステッ
プ３１）から、被検者情報入力画面に被検者情報を入力し（ステップ３２）、被検者情報
の入力が済んだら、被検者情報入力画面を閉じて、被検者情報の設定を確定させる（ステ
ップ３３）ところまでは、実施例１、実施例２のステップと同様であり、ステップ３３に
よって検査が可能となる。
【００３９】
そこで実施例３では、ステップ３３による被検者情報の確定操作により、超音波診断装
置１４の制御部（図示せず）から、診察兼検査室１の照明装置７（図７参照）へ照明調節
信号を送出する（ステップ３４）。この照明調節信号を受けて照明装置７は診察兼検査室
１のランプなどの照明灯を消灯するか明るさを絞るように動作する（ステップ３５）。こ
れによって、超音波診断装置１４の画面は極めて見易くなり、小さな病変などの発見も容
易になる。
【００４０】
検査室をこのような状態にして所望の検査を実施する（ステップ３６）。そして、所望
の検査を終了したとき、医師は再度被検者情報入力画面を開く操作をすることによって（
ステップ３７）、被検者情報の設定が解除され、この被検者情報の設定解除の操作により
、超音波診断装置１４の図示しない制御部から、照明装置７へ解除信号が送出され（ステ
ップ３８）、この解除信号を受けて照明装置７のランプなどが点灯または絞られていた明
るさを定格の明るさに復帰させ（ステップ３９）、一連の動作を終了する。
【００４１】
図７は、このような診察兼検査室１の照明装置７の消灯または減灯と解除の様子を説明
するために示したものである。診察兼検査室１の超音波診断装置１４から照明装置７へ照
明調節信号が送出された場合に、この信号を受けて照明装置７がランプなどの照明灯を消
灯するか明るさを絞るように動作する。一方、超音波診断装置１４から照明装置７へ解除
信号が送出された場合は、この解除信号を受けて照明装置７のランプなどが点灯し、また
は絞られていた明るさを定格の明るさに復帰させる。従って、実施例３によれば、検査中
に超音波診断装置１４の画面は極めて見易くなり、小さな病変などの発見も容易になる。
【実施例４】
【００４２】
次に、本発明の実施例４について、図８および図９を参照して説明する。
【００４３】
この実施例４は、検査時に被検者が乗って横たわるための寝台装置について、被検者の
乗り降りやセッティングを容易にしたものである。そのため、この寝台１５は背もたれ部
分を起倒可能に形成し、被検者が寝台１５に乗ったり降りたりする場合は背もたれを起こ
し、検査時には背もたれを寝かせて水平になるようにしている。
【００４４】
図８は、この実施例４における作業の流れを示したフローチャートであり、図２、図４
、図６に示した実施例１ないし実施例３のフローチャートに対応している。すなわち、被
検者は看護師などの介助により診察兼検査室１に配置された寝台１５に載せられるもので
あり、本実施例での寝台１５は起倒可能な電動式のものとなっている。被検者を寝台１５
の所定位置に載せ、医師が、超音波診断装置１４を操作して、被検者情報入力画面を開く
操作（ステップ４１）をして、被検者情報入力画面に被検者情報を入力し（ステップ４２
）、被検者情報の入力が済んだら、被検者情報入力画面を閉じて、被検者情報の設定を確
定させる（ステップ４３）ところまでは、実施例１ないし実施例３のステップと同様であ
る。
【００４５】
続いて、超音波診断装置１４の制御部（図示せず）から、寝台１５の背もたれ１５ａ（
図９参照）を倒すための駆動信号を送出する（ステップ４４）。この駆動信号を受けて寝
台１５の背もたれ１５ａは、水平位置となるように倒され（ステップ４５）、この状態で
超音波診断装置１４による所定の検査が実施される（ステップ４６）。
【００４６】
その後所望の検査を終了したとき、医師は再度被検者情報入力画面を開く操作をするこ
とによって（ステップ４７）、被検者情報の設定が解除さる。この被検者情報の設定解除
の操作により、超音波診断装置１４の図示しない制御部から、寝台１５へ背もたれ１５ａ
を起こすための駆動信号（復帰信号）が送出される（ステップ４８）。この駆動信号（復
帰信号）を受けて寝台１５の背もたれ１５ａは、初期位置へ起こされて（ステップ４９）
、一連の動作を終了する。
【００４７】
図９は、このような診察兼検査室１における寝台１５の背もたれ１５ａを起倒させる様
子を説明するために示したものである。検査の開始と終了に際して、被検者が診察兼検査
室１の寝台１５に乗ったり降りたりする場合は、寝台１５の背もたれ１５ａは起きた状態
にある。一方、超音波診断装置１４による検査中は背もたれ１５ａを倒して水平に寝かせ
た状態となるようにする。このような背もたれ１５ａの起倒操作は、超音波診断装置１４
からの指示で行われる。従って、実施例４によれば、被検者の寝台への乗り降りが容易と
なるとともに、検査の実施中は、背もたれ１５ａを倒して水平に寝かせた状態とするので
、検査をし易い状態にすることができる。
【００４８】
以上詳述したように、本発明によれば、医用画像を取得する被検者の情報を当該画像診
断装置に設定したりその設定を解除したりする操作に連動して、画像診断装置外の従動装
置へ制御信号を送出し、この制御信号に応じて従動装置を自動的に動作させることができ
るので、画像診断装置外の従動装置を個別に操作する手間を省くことができ、いつも多忙
を極めている医療スタッフなどの負担を軽減することができる。
【００４９】
また、従動装置が表示器あるいは施錠装置の場合は、検査中に部外者などが検査室へ不
用意に入室するのを防止でき、被検者のプライバシーの保護に寄与することができる。さ
らに、従動装置が検査室の照明装置の場合は、検査中に検査室の照明を暗くすることによ
って、診断装置の画面が見易くなるので、診断がよりし易くなる。そして、検査の終了に
合わせて照明装置を点灯したり絞られていた明るさを通常の明るさに自動的に復帰させる
ので、容易に被検者が服装を整えたり、医師がレポートを作成したりすることができる。
また、医師や看護師などの医療スタッフが照明装置を手動で操作する必要がないので、負
担が軽減し、検査の時間も短縮できる。なおさらに、従動装置が検査室の寝台の場合は、
検査中は寝台の背もたれを水平に倒して検査がスムースに行えるようになり、検査の終了
により背もたれを起こすので、被検者の寝台への乗り降りも容易となる。
【図面の簡単な説明】
【００５０】
【図１】医療施設における診察室や待合室などの配置の一例を示した平面図である。
【図２】本発明の実施例１を説明するために示したフローチャートである。（実施例１）
【図３】実施例１の説明図である。（実施例１）
【図４】本発明の実施例２を説明するために示したフローチャートである。（実施例２）
【図５】実施例２の説明図である。（実施例２）
【図６】本発明の実施例３を説明するために示したフローチャートである。（実施例３）
【図７】実施例３の説明図である。（実施例３）
【図８】本発明の実施例４を説明するために示したフローチャートである。（実施例４）
【図９】実施例４の説明図である。（実施例４）
【符号の説明】
【００５１】
１  診察兼検査室
２  処置室
３  待合室
４  ドアー
５  表示器
６  施錠装置
７  照明装置
１４  超音波診断装置
１５  寝台
【図１】
2009254397.tif 000003
【図２】
2009254397.tif 000004
【図３】
2009254397.tif 000005
【図４】
2009254397.tif 000006
【図５】
2009254397.tif 000007
【図６】
2009254397.tif 000008
【図７】
2009254397.tif 000009
【図８】
2009254397.tif 000010
【図９】
2009254397.tif 000011